(57)【要約】  【課題】  設定値の変更が可能な設定条件が登録してある複数の条件テーブルに対して設定条件を一括に追加／削除できる映像処理装置及び映像処理システムを提供する。  【解決手段】  各表示モードに対して設定条件の追加及び表記順序を受け付けた制御部１０は、第１調整テーブルに前記設定条件が変更不可能に登録されている場合に変更可能に設定し、第２調整テーブル、第３調整テーブル又は第４調整テーブルに前記設定条件が登録されていない場合に前記設定条件を示す条件番号を第１調整テーブルから複写する。一方、各表示モードに対して設定条件の削除を受け付けた制御部１０は、第１調整テーブルに前記設定条件が変更可能に設定されている場合には変更不可能に設定し、第２調整テーブル、第３調整テーブル又は第４調整テーブルに前記設定条件が登録されている場合に前記設定条件を示す条件番号を各調整テーブルから削除する。【選択図】      図１
2006330306.tif 000002
【特許請求の範囲】
【請求項１】
映像に係る設定条件が登録してある複数の条件テーブルと、いずれかの条件テーブルの選択を受け付ける手段とを備え、選択された条件テーブルに登録してある設定条件に基づく映像処理を行なう映像処理装置において、
１の条件テーブルに対して設定条件の追加／削除を受け付ける受付手段と、
該受付手段が設定条件の追加を受け付けた場合、追加を受け付けた設定条件が登録されていない全ての条件テーブルに前記設定条件を追加する追加手段と、
前記受付手段が設定条件の削除を受け付けた場合、削除を受け付けた設定条件が登録されている全ての条件テーブルから前記設定条件を削除する削除手段と
を備えることを特徴とする映像処理装置。
【請求項２】
前記条件テーブルのうちの１の条件テーブルには、登録可能な全ての設定条件が予め登録してあり、前記全ての設定条件よりも少ない数の設定条件が予め変更可能に設定してあり、
他の条件テーブルには、前記全ての設定条件のうちの１又は複数の設定条件が予め登録してあり、
前記追加手段は、前記受付手段が設定条件の追加を受け付けた場合、
前記１の条件テーブルに登録してある前記設定条件を変更可能に設定する手段と、
前記設定条件が登録されていない他の条件テーブルに前記設定条件を前記１の条件テーブルから複写する手段とを有し、
前記削除手段は、前記受付手段が設定条件の削除を受け付けた場合、
前記１の条件テーブルに登録してある前記設定条件を変更不可能に設定する手段と、
前記設定条件が登録されている他の条件テーブルから前記設定条件を削除する手段とを有すること
を特徴とする請求項１に記載の映像処理装置。
【請求項３】
映像に係る設定条件が登録してある複数の条件テーブルと、いずれかの条件テーブルの選択を受け付ける手段とを備え、選択された条件テーブルに登録してある設定条件に基づく映像処理を行なう映像処理装置において、
前記条件テーブルに対して設定条件の追加／削除を受け付ける受付手段と、
該受付手段が設定条件の追加を受け付けた場合、追加を受け付けた設定条件を前記条件テーブルに追加する追加手段と、
前記受付手段が設定条件の削除を受け付けた場合、削除を受け付けた設定条件を前記条件テーブルから削除する削除手段と
を備えることを特徴とする映像処理装置。
【請求項４】
前記条件テーブルのうちの１の条件テーブルには、登録可能な全ての設定条件が予め登録してあり、前記全ての設定条件よりも少ない数の設定条件が予め変更可能に設定してあり、
他の条件テーブルには、前記全ての設定条件のうちの１又は複数の設定条件が予め登録してあり、
前記追加手段は、
前記受付手段が前記１の条件テーブルに対する設定条件の追加を受け付けた場合、前記１の条件テーブルに登録してある前記設定条件を変更可能に設定する手段と、
前記受付手段が前記他の条件テーブルに対する設定条件の追加を受け付けた場合、前記設定条件を前記１の条件テーブルから前記他の条件テーブルに複写する手段とを有し、
前記削除手段は、
前記受付手段が前記１の条件テーブルに対する設定条件の削除を受け付けた場合、前記１の条件テーブルに登録してある前記設定条件を変更不可能に設定する手段と、
前記受付手段が前記他の条件テーブルに対する設定条件の削除を受け付けた場合、前記設定条件を前記他の条件テーブルから削除する手段とを有すること
を特徴とする請求項３に記載の映像処理装置。
【請求項５】
前記受付手段は、設定条件の追加を受け付ける場合に前記設定条件の表記順序を受け付けるように構成してあり、
前記条件テーブルに登録してある設定条件のそれぞれに対応付けて表記順序が登録してある順序テーブルと、
前記受付手段が設定条件の追加を受け付けた場合、受け付けた設定条件及び表記順序を対応付けて前記順序テーブルに記憶させる手段と、
前記条件テーブルに登録してある設定条件を、該設定条件に対応して前記順序テーブルに登録してある表記順序で表記するメニュー画像を作成する手段と
を備えることを特徴とする請求項１乃至４のいずれかひとつに記載の映像処理装置。
【請求項６】
請求項１乃至５のいずれかひとつに記載の映像処理装置と、表示部を有する情報処理装置とを含む映像処理システムであって、
前記映像処理装置は、前記条件テーブルを前記情報処理装置へ送信する手段を有し、
前記情報処理装置は、
前記条件テーブルの選択を受け付ける手段と、
選択された条件テーブルに登録してある設定条件を表記する編集用メニュー画像を作成する手段と、
作成した編集用メニュー画像を前記表示部に表示させる手段と、
前記表示部に表示させた編集用メニュー画像に基づいて、前記条件テーブルに対して設定条件の追加／削除を受け付ける手段と、
受け付けた設定条件の追加／削除を前記映像処理装置へ送信する手段とを有し、
前記映像処理装置の追加手段は、前記情報処理装置から設定条件の追加を受信した場合、前記設定条件を前記条件テーブルに追加し、
前記映像処理装置の削除手段は、前記情報処理装置から設定条件の削除を受信した場合、前記設定条件を前記条件テーブルから削除するように構成してあることを特徴とする映像処理システム。
【請求項７】
請求項１乃至４のいずれかひとつに記載の映像処理装置と、表示部を有する情報処理装置とを含む映像処理システムであって、
前記映像処理装置は、
前記条件テーブルに登録してある設定条件のそれぞれに対応付けて表記順序が登録してある順序テーブルと、
前記条件テーブル及び前記順序テーブルを前記情報処理装置へ送信する手段とを有し、
前記情報処理装置は、
前記条件テーブルの選択を受け付ける手段と、
選択された条件テーブルに登録してある設定条件を、該設定条件に対応して前記順序テーブルに登録してある表記順序で表記する編集用メニュー画像を作成する手段と、
作成した編集用メニュー画像を前記表示部に表示させる手段と、
前記表示部に表示させた編集用メニュー画像に基づいて、前記条件テーブルに対して設定条件の追加及び該設定条件の表記順序を受け付ける手段と、
受け付けた設定条件の追加及び表記順序を前記映像処理装置へ送信する手段とを有し、
前記映像処理装置は、前記情報処理装置から設定条件の追加を受信した場合、受信した設定条件及び表記順序を対応付けて前記順序テーブルに記憶させる手段を有し、
前記映像処理装置の追加手段は、前記情報処理装置から設定条件の追加を受信した場合、前記設定条件を前記条件テーブルに追加するように構成してあることを特徴とする映像処理システム。
【発明の詳細な説明】
【技術分野】
【０００１】
本発明は、映像に係る設定条件が登録してある複数の条件テーブルから選択された条件テーブルに登録してある設定条件に基づく映像処理を行なう映像処理装置及び映像処理システムに関するものである。
【背景技術】
【０００２】
テレビジョン放送信号を受信してモニタ装置に表示させるテレビジョン装置、外部から映像信号を受信して例えば投影用のスクリーンに表示させるプロジェクタ等のような映像処理装置が普及している（例えば、特許文献１参照）。このような映像処理装置は、例えば表示させる映像信号のジャンルに応じて表示モードを選択できるように構成されており、選択された表示モードに応じた各設定条件に従って映像を良好に表示させることができる。
【０００３】
図１１は、従来の映像処理装置において表示モードを選択する際に用いるメニュー画像例を示す模式図である。なお、図１１（ａ）には表示モードとして「Standard」モードが選択された場合のメニュー画像を、図１１（ｂ）には表示モードとして「Presentation」モードが選択された場合のメニュー画像をそれぞれ示している。図１１に示すメニュー画像においては、「Standard」モード及び「Presentation」モードのほかに、「Cinema」モード及び「Game」モードの表示モードの選択が可能である。
【０００４】
このようなメニュー画像の表示が可能な映像処理装置は、各表示モード毎に設定条件が登録してあるテーブルを予めメモリに記憶しており、ユーザから表示モードが選択された場合に、対応するテーブルに登録してある設定条件を表示することにより、図１１（ａ），（ｂ）に示すようなメニュー画像を表示するように構成されている。また、図１１に示すように、異なる表示モードを選択することにより、各設定条件を各表示モードに応じて一括に変更することができる。
【０００５】
また、図１１に示すメニュー画像においては、各表示モード毎に「Contrast」、「Bright」、「Red 」、「Blue」、「Color Temp」、「Bright Boost」の設定条件の変更が可能であり、ユーザは、このようなメニュー画像に従って、各表示モード毎に各設定条件の設定値を変更することができる。
【特許文献１】特開２００４−２７９９８９号公報
【発明の開示】
【発明が解決しようとする課題】
【０００６】
上述したような映像処理装置では、図１１に示すメニュー画像を用いて各表示モード毎に各設定条件を容易に変更することができるので、ユーザが各設定条件を調整しなおす手間をある程度簡略化することができる。しかし、各表示モード毎に変更可能な設定条件は、明るさ優先設定、映画向け設定等に応じて各メーカが予め決定したものであり、表示モードによっては各設定条件の設定値の変更だけでは良好な映像を表示できない場合がある。例えば、プロジェクタによってはランプ輝度の切り替えが変更可能に設定されていない場合があり、このようにユーザが任意に変更したい設定条件が変更できない場合には、良好な映像を表示できないという問題を有している。
【０００７】
本発明は斯かる事情に鑑みてなされたものであり、その目的とするところは、設定値の変更が可能な設定条件を各表示モード毎にユーザが任意に追加／削除できるので、より良好な映像の表示が可能な映像処理装置を提供することにある。
【０００８】
本発明の他の目的は、設定値の変更が可能な設定条件を全ての表示モードに対して一括に追加／削除できるので、ユーザによる操作負担を軽減することが可能な映像処理装置を提供することにある。
【０００９】
更に、本発明の他の目的は、設定値の変更が可能な設定条件を各表示モードに対して任意に追加できるだけでなく、各設定条件を表記させる際の順序を指定することができるので、各設定条件を任意の順序で表記したメニュー画像を作成することが可能な映像処理装置を提供することにある。
【００１０】
更に、本発明の他の目的は、上述したような映像処理装置が行なう映像処理に係る各種の設定条件の追加／削除を外部の装置から指定することが可能な映像処理システムを提供することにある。
【課題を解決するための手段】
【００１１】
本発明に係る映像処理装置は、映像に係る設定条件が登録してある複数の条件テーブルと、いずれかの条件テーブルの選択を受け付ける手段とを備え、選択された条件テーブルに登録してある設定条件に基づく映像処理を行なう映像処理装置において、１の条件テーブルに対して設定条件の追加／削除を受け付ける受付手段と、該受付手段が設定条件の追加を受け付けた場合、追加を受け付けた設定条件が登録されていない全ての条件テーブルに前記設定条件を追加する追加手段と、前記受付手段が設定条件の削除を受け付けた場合、削除を受け付けた設定条件が登録されている全ての条件テーブルから前記設定条件を削除する削除手段とを備えることを特徴とする。
【００１２】
上述したような本発明では、映像に係る設定条件が登録してある複数の条件テーブルから選択された条件テーブルに登録してある設定条件に基づく映像処理を行なう映像処理装置が、１の条件テーブルに対して設定条件の追加／削除を受け付けた場合、追加を受け付けた設定条件が登録されていない全ての条件テーブルに前記設定条件を追加し、削除を受け付けた設定条件が登録されている全ての条件テーブルから前記設定条件を削除する。よって、設定条件の追加／削除を受け付けた場合に、全ての条件テーブルに対して追加／削除を行なうことが可能である。
【００１３】
本発明に係る映像処理装置は、前記条件テーブルのうちの１の条件テーブルには、登録可能な全ての設定条件が予め登録してあり、前記全ての設定条件よりも少ない数の設定条件が予め変更可能に設定してあり、他の条件テーブルには、前記全ての設定条件のうちの１又は複数の設定条件が予め登録してあり、前記追加手段は、前記受付手段が設定条件の追加を受け付けた場合、前記１の条件テーブルに登録してある前記設定条件を変更可能に設定する手段と、前記設定条件が登録されていない他の条件テーブルに前記設定条件を前記１の条件テーブルから複写する手段とを有し、前記削除手段は、前記受付手段が設定条件の削除を受け付けた場合、前記１の条件テーブルに登録してある前記設定条件を変更不可能に設定する手段と、前記設定条件が登録されている他の条件テーブルから前記設定条件を削除する手段とを有することを特徴とする。
【００１４】
上述したような本発明では、登録可能な全ての設定条件が予め登録してあり、前記全ての設定条件よりも少ない数の設定条件が予め変更可能に設定してある１の条件テーブルに対して設定条件の追加（削除）を受け付けた場合、前記１の条件テーブルに登録してある前記設定条件を変更可能（変更不可能）に設定する。また、前記全ての設定条件のうちの１又は複数の設定条件が予め登録してある他の条件テーブルに対して設定条件の追加を受け付けた場合、前記設定条件が登録されていない他の条件テーブルに前記設定条件を前記１の条件テーブルから複写し、前記他の条件テーブルに対して設定条件の削除を受け付けた場合、前記設定条件が登録されている他の条件テーブルから前記設定条件を削除する。よって、設定条件の追加／削除を受け付けた場合に、単純な処理により全ての条件テーブルに対して設定値の変更が可能な設定条件の追加／削除を行なうことが可能である。
【００１５】
本発明に係る映像処理装置は、映像に係る設定条件が登録してある複数の条件テーブルと、いずれかの条件テーブルの選択を受け付ける手段とを備え、選択された条件テーブルに登録してある設定条件に基づく映像処理を行なう映像処理装置において、前記条件テーブルに対して設定条件の追加／削除を受け付ける受付手段と、該受付手段が設定条件の追加を受け付けた場合、追加を受け付けた設定条件を前記条件テーブルに追加する追加手段と、前記受付手段が設定条件の削除を受け付けた場合、削除を受け付けた設定条件を前記条件テーブルから削除する削除手段とを備えることを特徴とする。
【００１６】
上述したような本発明では、映像に係る設定条件が登録してある複数の条件テーブルから選択された条件テーブルに登録してある設定条件に基づく映像処理を行なう映像処理装置が、条件テーブルに対して設定条件の追加／削除を受け付けた場合、追加を受け付けた設定条件を対応する条件テーブルに追加し、削除を受け付けた設定条件を対応する条件テーブルから削除する。よって、各条件テーブル毎に設定条件の追加／削除を行なうことが可能である。
【００１７】
本発明に係る映像処理装置は、前記条件テーブルのうちの１の条件テーブルには、登録可能な全ての設定条件が予め登録してあり、前記全ての設定条件よりも少ない数の設定条件が予め変更可能に設定してあり、他の条件テーブルには、前記全ての設定条件のうちの１又は複数の設定条件が予め登録してあり、前記追加手段は、前記受付手段が前記１の条件テーブルに対する設定条件の追加を受け付けた場合、前記１の条件テーブルに登録してある前記設定条件を変更可能に設定する手段と、前記受付手段が前記他の条件テーブルに対する設定条件の追加を受け付けた場合、前記設定条件を前記１の条件テーブルから前記他の条件テーブルに複写する手段とを有し、前記削除手段は、前記受付手段が前記１の条件テーブルに対する設定条件の削除を受け付けた場合、前記１の条件テーブルに登録してある前記設定条件を変更不可能に設定する手段と、前記受付手段が前記他の条件テーブルに対する設定条件の削除を受け付けた場合、前記設定条件を前記他の条件テーブルから削除する手段とを有することを特徴とする。
【００１８】
上述したような本発明では、登録可能な全ての設定条件が予め登録してあり、前記全ての設定条件よりも少ない数の設定条件が予め変更可能に設定してある１の条件テーブルに対して設定条件の追加（削除）を受け付けた場合、前記１の条件テーブルに登録してある前記設定条件を変更可能（変更不可能）に設定する。また、前記全ての設定条件のうちの１又は複数の設定条件が予め登録してある他の条件テーブルに対して設定条件の追加を受け付けた場合、対応する他の条件テーブルに前記設定条件を前記１の条件テーブルから複写し、前記他の条件テーブルに対して設定条件の削除を受け付けた場合、対応する他の条件テーブルから前記設定条件を削除する。よって、設定条件の追加／削除を受け付けた場合に、単純な処理により対応する条件テーブルに対して設定値の変更が可能な設定条件の追加／削除を行なうことが可能である。
【００１９】
本発明に係る映像処理装置は、前記受付手段は、設定条件の追加を受け付ける場合に前記設定条件の表記順序を受け付けるように構成してあり、前記条件テーブルに登録してある設定条件のそれぞれに対応付けて表記順序が登録してある順序テーブルと、前記受付手段が設定条件の追加を受け付けた場合、受け付けた設定条件及び表記順序を対応付けて前記順序テーブルに記憶させる手段と、前記条件テーブルに登録してある設定条件を、該設定条件に対応して前記順序テーブルに登録してある表記順序で表記するメニュー画像を作成する手段とを備えることを特徴とする。
【００２０】
上述したような本発明では、各条件テーブルに登録してある設定条件のそれぞれに対応付けて順序テーブルに表記順序が登録してあり、設定条件の追加と共に前記設定条件の表記順序を受け付けた場合、受け付けた設定条件及び表記順序を対応付けて前記順序テーブルに記憶させる。よって、設定条件の追加を任意に行なえるだけでなく、各設定条件を表記させる際の順序の指定も可能である。また、各条件テーブルに登録してある設定条件を、該設定条件に対応して順序テーブルに登録してある表記順序で表記するメニュー画像を作成するので、各条件テーブルに登録してある設定条件を任意の表記順序で表記するメニュー画像を表示させることが可能となる。
【００２１】
本発明に係る映像処理システムは、前記映像処理装置と、表示部を有する情報処理装置とを含む映像処理システムであって、前記映像処理装置は、前記条件テーブルを前記情報処理装置へ送信する手段を有し、前記情報処理装置は、前記条件テーブルの選択を受け付ける手段と、選択された条件テーブルに登録してある設定条件を表記する編集用メニュー画像を作成する手段と、作成した編集用メニュー画像を前記表示部に表示させる手段と、前記表示部に表示させた編集用メニュー画像に基づいて、前記条件テーブルに対して設定条件の追加／削除を受け付ける手段と、受け付けた設定条件の追加／削除を前記映像処理装置へ送信する手段とを有し、前記映像処理装置の追加手段は、前記情報処理装置から設定条件の追加を受信した場合、前記設定条件を前記条件テーブルに追加し、前記映像処理装置の削除手段は、前記情報処理装置から設定条件の削除を受信した場合、前記設定条件を前記条件テーブルから削除するように構成してあることを特徴とする。
【００２２】
上述したような本発明では、映像処理装置が条件テーブルを情報処理装置へ送信し、情報処理装置は、映像処理装置から受信した条件テーブルから選択された条件テーブルに登録してある設定条件を表記する編集用メニュー画像を作成して表示させ、表示させた編集用メニュー画像に基づいて、前記条件テーブルに対して受け付けた設定条件の追加／削除を映像処理装置へ送信する。また、映像処理装置は、情報処理装置から設定条件の追加を受信した場合、前記設定条件を前記条件テーブルに追加し、情報処理装置から設定条件の削除を受信した場合、前記設定条件を前記条件テーブルから削除する。よって、映像処理装置が行なう映像処理に係る各種の設定条件の追加／削除を外部の情報処理装置を用いて指定することが可能となる。また、映像処理装置は、情報処理装置から受け付けた設定条件の追加／削除を全ての条件テーブルに対して一括に行なうことが可能である。
【００２３】
本発明に係る映像処理システムは、前記映像処理装置と、表示部を有する情報処理装置とを含む映像処理システムであって、前記映像処理装置は、前記条件テーブルに登録してある設定条件のそれぞれに対応付けて表記順序が登録してある順序テーブルと、前記条件テーブル及び前記順序テーブルを前記情報処理装置へ送信する手段とを有し、前記情報処理装置は、前記条件テーブルの選択を受け付ける手段と、選択された条件テーブルに登録してある設定条件を、該設定条件に対応して前記順序テーブルに登録してある表記順序で表記する編集用メニュー画像を作成する手段と、作成した編集用メニュー画像を前記表示部に表示させる手段と、前記表示部に表示させた編集用メニュー画像に基づいて、前記条件テーブルに対して設定条件の追加及び該設定条件の表記順序を受け付ける手段と、受け付けた設定条件の追加及び表記順序を前記映像処理装置へ送信する手段とを有し、前記映像処理装置は、前記情報処理装置から設定条件の追加を受信した場合、受信した設定条件及び表記順序を対応付けて前記順序テーブルに記憶させる手段を有し、前記映像処理装置の追加手段は、前記情報処理装置から設定条件の追加を受信した場合、前記設定条件を前記条件テーブルに追加するように構成してあることを特徴とする。
【００２４】
上述したような本発明では、映像処理装置が条件テーブル及び順序テーブルを情報処理装置へ送信し、情報処理装置は、映像処理装置から受信した条件テーブルから選択された条件テーブルに登録してある設定条件を、該設定条件に対応して順序テーブルに登録してある表記順序で表記する編集用メニュー画像を作成して表示させ、表示させた編集用メニュー画像に基づいて、前記条件テーブルに対して受け付けた設定条件の追加及び表記順序を映像処理装置へ送信する。また、映像処理装置は、情報処理装置から設定条件の追加を受信した場合、受信した設定条件及び表記順序を対応付けて順序テーブルに記憶させると共に、前記設定条件を前記条件テーブルに追加する。よって、映像処理装置が行なう映像処理に係る各種の設定条件の追加及び追加する設定条件の表記順序の指定を外部の情報処理装置を用いて指定することが可能となる。また、映像処理装置は、情報処理装置から受け付けた設定条件の追加を対応する条件テーブルに行なうことが可能である。
【発明の効果】
【００２５】
本発明によれば、複数の条件テーブルのうちの１の条件テーブルに対して設定条件の追加／削除を受け付けた場合に、設定値の変更が可能な設定条件を全ての条件テーブルに対して一括に追加／変更するので、ユーザによる操作を簡略化することができる。また、ユーザが所望する各設定条件によってより良好な映像を表示させることができる。
【００２６】
本発明によれば、設定条件の追加／削除を受け付けた場合に、条件テーブルに登録してある内容の変更、複写及び削除等のような単純な処理によって、設定値の変更が可能な設定条件を全ての条件テーブルに対して一括に追加／変更することができる。
【００２７】
本発明によれば、条件テーブルに対して設定条件の追加／削除を受け付けた場合に、設定値の変更が可能な設定条件を対応する条件テーブルに対して追加／変更できるので、各条件テーブル毎に設定条件の追加／削除を任意に行なうことができる。よって、ユーザが所望する各設定条件によってより良好な映像を表示させることができる。
【００２８】
本発明によれば、設定条件の追加／削除を受け付けた場合に、条件テーブルに登録してある内容の変更、複写及び削除等のような単純な処理によって、対応する条件テーブルに対して設定値の変更が可能な設定条件を追加／変更することができる。
【００２９】
本発明によれば、条件テーブルに対して設定条件の追加を受け付けた場合に、設定値の変更が可能な設定条件を条件テーブルに対して任意に追加できるだけでなく、各設定条件を表記させる際の順序を指定することもできる。また、各条件テーブルに登録してある設定条件を任意の表記順序で表記するメニュー画像を作成することができるので、各ユーザの使用頻度に応じた順序で各設定条件を表記したメニュー画像に従って、例えば各設定条件の設定値の変更を行なうことができ、ユーザによる操作負担をより軽減することができる。
【００３０】
本発明によれば、映像処理装置が行なう映像処理に係る各種の設定条件の追加／削除を外部の情報処理装置を用いて指定することができ、映像処理装置は、情報処理装置から受け付けた設定条件の追加／削除を全ての条件テーブルに対して一括に行なうことができるので、ユーザによる操作を簡略化することができる。また、ユーザが所望する各設定条件によってより良好な映像を表示させることができる。
【００３１】
本発明によれば、映像処理装置が行なう映像処理に係る各種の設定条件の追加及び追加する設定条件の表記順序の指定を外部の情報処理装置を用いて指定することができ、映像処理装置は、情報処理装置から受け付けた設定条件の追加を対応する条件テーブルに行なうことができる。
【発明を実施するための最良の形態】
【００３２】
以下に、本発明に係る映像処理装置をその実施形態を示す図面に基づいて詳述する。なお、以下に説明する実施形態では、本発明の映像処理装置は、情報処理装置としてのパーソナルコンピュータ（以下、ＰＣという）と例えばＵＳＢケーブルを介して接続可能に構成してあり、ＰＣとの間で各種の信号を送受信すると共に、ＰＣから送信されてきた映像を、例えばスクリーンに投影して表示させるプロジェクタである。
【００３３】
なお、映像処理装置へ映像を送信する情報処理装置は、ＰＣに限られず、例えば、取得した映像を記録媒体に記録するデジタルカメラ、テレビジョン放送による放送番組を受信して記録媒体に記録する記録再生装置等であってもよい。また、映像処理装置とＰＣとを、ＵＳＢケーブルを介してだけでなく、ＲＳ２３２Ｃ規格又はＬＡＮ規格に従った各種ケーブルを介して接続してもよい。
【００３４】
（実施形態１）
図１は実施形態１に係る映像処理装置の構成例を示すブロック図である。図中の白抜き矢符は映像信号の流れを示す。本実施形態１の映像処理装置１は、図示しないリモートコントロール装置（以下、リモコン装置という）によって遠隔から操作することができる。なお、映像処理装置１とリモコン装置とは、赤外線を利用したＩｒＤＡ（Infrared Data Association）規格に従う無線通信、ＩＥＥＥ８０２．１１ｂ規格に準拠した無線ＬＡＮ、及びBluetooth規格に従う無線通信等の無線通信が可能に接続することができる。
【００３５】
映像処理装置１は、制御部１０、映像信号入力部１１、Ａ／Ｄ変換器１２、映像信号処理部１３、ＯＳＤ（On Screen Display ）コントローラ１４、映像信号出力部１５、ＵＳＢケーブルを介したＰＣ２との接続を行なう接続部１６、ＥＥＰＲＯＭ１７、リモコンコード解析部１８、リモコン装置からの赤外線を受光する赤外線受光部１９等を備えており、それぞれはバス１ａを介して相互に接続されている。
【００３６】
制御部１０は、各種の演算を行なうＣＰＵ、映像処理装置１を本発明の映像処理装置として動作させるために必要な種々の制御プログラムを予め格納しているＲＯＭ、ＣＰＵによる制御プログラムの実行中に生成されるデータを一時的に保持するＲＡＭ等により構成されている。制御部１０は、ＣＰＵによってＲＯＭに格納してある制御プログラムをＲＡＭにロードして実行することにより、上述したようなハードウェア各部を制御して装置全体を本発明の映像処理装置として機能させる。
【００３７】
赤外線受光部１９は、リモコン装置からの赤外線を受光して所定の電気信号に変換し、得られた電気信号をリモコンコード解析部１８へ出力する。リモコンコード解析部１８は、赤外線受光部１９から取得した電気信号を解析してリモコン装置から入力された制御信号を検出し、検出した制御信号を制御部１０へ送出する。制御部１０は、リモコンコード解析部１８によって解析された制御信号に対応する制御プログラムをＣＰＵによって実行することにより、リモコン装置を介したユーザからの指示に従った動作を行なう。
【００３８】
映像信号入力部１１は、例えば接続部１６が外部のＰＣ２からアナログの映像信号を取得した場合、取得した映像信号を順次Ａ／Ｄ変換器１２へ転送する。Ａ／Ｄ変換器１２は、映像信号入力部１１から転送されてくるアナログの映像信号を所定の増幅率で増幅する増幅器（図示せず）、増幅された映像信号を一定のタイミング毎にサンプリングする相関二重サンプリング機能等を内蔵しており、サンプリング処理により得られた各値をデジタル信号に変換し、得られたデジタルの映像信号を映像信号処理部１３へ転送する。
【００３９】
映像信号処理部１３は、Ａ／Ｄ変換器１２から転送されてくる映像信号に対して、例えばガンマ補正処理、フィルタリング処理、輪郭強調処理等の所定の信号処理を実行して、例えばＲＧＢ（Ｒ：赤色信号、Ｇ：緑色信号、Ｂ：青色信号）信号を生成し、生成したＲＧＢ信号（映像信号）を映像信号出力部１５へ転送する。
【００４０】
映像信号出力部１５は、例えばキセノンランプ又は超高圧水銀ランプ等の光源、光源からの光を集光する集光光学系、映像を形成する投射デバイス、投射デバイス上の映像を拡大して外部の被投射体としてのスクリーンへ投射する投射光学系（全て図示せず）等を備えている。映像信号出力部１５は、映像信号処理部１３から転送されてくる映像信号に基づいて光源を発光させ、光源からの光を集光光学系を通して投射デバイスへ照射し、映像が形成された投射デバイス上で反射された光を投射光学系を通して投射することで、投射デバイス上の映像をスクリーンへ投射する。
【００４１】
ＯＳＤコントローラ１４は、制御部１０による制御に従ってＥＥＰＲＯＭ１７から読み出されたＯＳＤ表示用データを映像信号出力部１５へ転送する。これにより、映像信号処理部１３によって所定の処理が施された映像信号に基づく映像の上に、制御部１０によってＥＥＰＲＯＭ１７から読み出されたＯＳＤ表示用データに基づくメニュー画像を表示させることができる。なお、ＯＳＤ表示用データは、例えば、映像処理装置１の動作状況、ユーザに通知すべき情報等を表示するためのものである。
【００４２】
映像信号出力部１５は、映像信号処理部１３から転送されてくる映像信号に基づく映像をスクリーンへ投影すると共に、必要に応じてＯＳＤコントローラ１４から転送されてくるＯＳＤ表示用データに基づく映像もスクリーンへ投影する。
【００４３】
ＥＥＰＲＯＭ１７は、映像処理装置１が有する各種機能を選択するためのメニュー画像（ＯＳＤ表示用データ）のほかに、条件番号対応テーブル、第１調整テーブル、第２調整テーブル、第３調整テーブル、第４調整テーブル及びＯＳＤ情報テーブル等を記憶している。条件番号対応テーブルには、図２（ａ）に示すように、映像処理装置１においてユーザが任意に設定値の変更を行なうことができる設定条件のそれぞれに条件番号を対応付けて登録してある。なお、本実施形態では、１４種類の設定条件における設定値の変更が可能である。
【００４４】
第１調整テーブルには、図２（ｂ）に示すように、１４種類全ての設定条件及び各設定条件における設定値が登録してあり、各設定条件に対してユーザが任意に設定値の変更を行なうことができるか否かが設定してある。図２（ｂ）に示す第１調整テーブルでは、１４種類の設定条件のうちの条件番号が１〜４，９，１０の各設定条件が変更可能に設定されている。
【００４５】
第２調整テーブルには、図２（ｃ）に示すように、１４種類の設定条件のうちのいくつかの設定条件及び各設定条件における設定値が登録してあり、図２（ｃ）に示す第２調整テーブルでは、１４種類の設定条件のうちの条件番号が１〜４，９，１０の各設定条件が登録されている。なお、第２調整テーブルは、ＥＥＰＲＯＭ１７に記憶される際に各設定条件を示す条件番号の順で各設定条件及び設定値が記憶されるので、ＥＥＰＲＯＭ１７における条件番号が５〜８，１１〜１４に対応する記憶領域にはデータが記憶されない状態となる。なお、第３調整テーブル及び第４調整テーブルはそれぞれ、図２（ｄ）及び図３（ａ）に示すように、第２調整テーブルと同様に構成されている。
【００４６】
本実施形態１の映像処理装置１は、例えばスクリーンに投影する映像信号のジャンルに応じて、スタンダードモード、プレゼンテーションモード、シネマモード、ゲームモードの各表示モードを選択できるように構成されている。また、第１調整テーブルにはスタンダードモードにおける各設定条件が登録してあり、第２調整テーブルにはプレゼンテーションモードにおける各設定条件が登録してあり、第３調整テーブルにはシネマモードにおける各設定条件が登録してあり、第４調整テーブルにはゲームモードにおける各設定条件が登録してある。
【００４７】
従って、映像処理装置１は、例えばユーザによっていずれかの表示モードが選択された場合、選択された表示モードに対応する調整テーブル（条件テーブル）に登録してある各設定条件に基づく映像処理を、Ａ／Ｄ変換器１２及び映像信号処理部１３等に行なわせることによって、各設定条件に従って映像を良好に表示させることができる。なお、プレゼンテーションモード、シネマモード又はゲームモードが選択された場合、制御部１０は、対応する第２調整テーブル、第３調整テーブル又は第４調整テーブルに登録してある各設定条件の設定値に基づく映像処理を行ない、また、第２調整テーブル、第３調整テーブル又は第４調整テーブルには登録されていない設定条件については、第１調整テーブルに登録してある設定値に基づく映像処理を行なう。
【００４８】
ＯＳＤ情報テーブル（順序テーブル）には、図３（ｂ）に示すように、各表示モード毎に、表記順序に対応して設定条件を示す条件番号が登録してある。このようなＯＳＤ情報テーブルを用いることによって、例えばユーザがリモコン装置を適切に操作することによってスタンダードモードに対応する設定条件の設定値を表示させた場合、制御部１０は、スタンダードモードに対応する第１調整テーブルに登録してある変更可能な各設定条件を、各設定条件に対応してＯＳＤ情報テーブルに登録してある表記順序で表記するメニュー画像を作成し、図４に示すようなメニュー画像を表示させることができる。
【００４９】
なお、ユーザは、図４に示すメニュー画像に従ってリモコン装置を適切に操作することにより、メニュー画像に表示された各設定条件の設定値を変更することができ、このメニュー画像において「設定」ボタンが操作された場合、制御部１０は、対応する調整テーブルの対応する箇所に変更された設定値を上書きする。
【００５０】
ここで、本実施形態１の映像処理装置１は、各表示モードにおいてユーザによる設定値の変更が可能な設定条件の追加／削除が可能に構成されている。具体的には、ユーザがリモコン装置を適切に操作することによって設定条件の追加／削除を行なう指示を行なった場合、制御部１０は、ＥＥＰＲＯＭ１７から所定のメニュー画像を読み出し、例えばスタンダードモードに対応する第１調整テーブルに登録してある変更可能な設定条件と、各設定条件に対応してＯＳＤ情報テーブルに登録してある表記順序とを対応付けて表示するメニュー画像を作成してＯＳＤコントローラ１４へ転送する。これにより、映像信号出力部１５を介してスクリーンに図５（ａ）に示すようなメニュー画像を表示させることができる。なお、図５（ａ）に示すメニュー画像は、第１調整テーブルにおいて変更不可能に設定してある設定条件についての表記順序を空欄にしてある。
【００５１】
図５（ａ）に示すメニュー画像において、例えばユーザがリモコン装置の上下キーを操作した場合、制御部１０は、図５（ｂ）に示すように、現在選択中の設定条件を明示し、この設定条件に対応する表記順序を選択するためのプルダウンメニューを表示する。図５（ａ）に示すメニュー画像においては８つの設定条件が既に変更可能に設定してあり、新たに設定条件を変更可能に追加する場合には、追加する設定条件に対して１〜９のいずれかの表記順序を指定することができる。図５（ｂ）に示すメニュー画像において「設定」ボタンが操作された場合、制御部１０は、設定条件の追加及び追加すべき設定条件の表記順序を受け付ける受付手段として動作する。なお、表記順序として０を選択した場合、制御部１０は、選択された設定条件の削除を受け付けることになる。
【００５２】
上述したようにメニュー画像に従って設定条件の追加及び追加すべき設定条件の表記順序を受け付けた制御部１０は、スタンダードモードに対応する第１調整テーブルに対しては、追加を受け付けた設定条件が変更不可能に設定されている場合には変更可能に設定する。また、制御部１０は、プレゼンテーションモード、シネマモード又はゲームモードに対応する第２調整テーブル、第３調整テーブル又は第４調整テーブルに対しては、追加を受け付けた設定条件が登録されていない場合に、前記設定条件を示す条件番号を第１調整テーブルから各調整テーブルに複写する。
【００５３】
なお、第１調整テーブルから各調整テーブルに条件番号を複写する場合、制御部１０は、各調整テーブルの記憶領域において各条件番号に対応する箇所に複写すると共に、各設定条件の設定値も第１調整テーブルからそれぞれ複写する。また、制御部１０は、追加を受け付けた設定条件及び該設定条件に対応して受け付けた表記順序を対応付けてＥＥＰＲＯＭ１７のＯＳＤ情報テーブルに記憶させる。これにより、図５に示すメニュー画像に従って追加を受け付けた設定条件を全ての表示モードに対して一括に変更可能に設定することができる。
【００５４】
一方、上述したようにメニュー画像に従って設定条件の削除を受け付けた制御部１０は、スタンダードモードに対応する第１調整テーブルに対しては、削除を受け付けた設定条件が変更可能に設定されている場合には変更不可能に設定する。また、制御部１０は、プレゼンテーションモード、シネマモード又はゲームモードに対応する第２調整テーブル、第３調整テーブル又は第４調整テーブルに対しては、削除を受け付けた設定条件が登録されている場合に、前記設定条件を示す条件番号及び対応する設定値を各調整テーブルから削除する。
【００５５】
また、制御部１０は、削除を受け付けた設定条件を示す条件番号をＥＥＰＲＯＭ１７のＯＳＤ情報テーブルから全て削除し、削除した条件番号よりも表記順序が後の各条件番号を１つ前の表記順序に順次シフトさせる。これにより、図５に示すメニュー画像に従って削除を受け付けた設定条件を全ての表示モードに対して一括に変更不可能に設定することができる。
【００５６】
以下に、上述した構成の映像処理装置１において各表示モードに対する設定条件の追加処理及び削除処理についてフローチャートを参照しながら説明する。図６は実施形態１の映像処理装置１における設定条件の追加処理及び削除処理の手順を示すフローチャートである。なお、以下の処理は、制御部１０のＲＯＭに格納してある制御プログラムに従って、制御部１０のＣＰＵが実行する。
【００５７】
本実施形態１の映像処理装置１において、ユーザがリモコン装置を適切に操作することによって設定条件の追加／削除を行なう指示を行なった場合、制御部１０は、ＥＥＰＲＯＭ１７から所定のメニュー画像を読み出し、第１調整テーブルに登録してある変更可能な設定条件と、各設定条件に対応してＯＳＤ情報テーブルに登録してある表記順序とを対応付けて表示するメニュー画像を作成して映像信号出力部１５を介して図５（ａ）に示すようなメニュー画像をスクリーンに表示させる（Ｓ１）。
【００５８】
図５（ａ）に示すメニュー画像において、例えばユーザがリモコン装置の上下キーを操作することによって新たな変更可能に設定する設定条件の追加を指示した場合、制御部１０は、このメニュー画像において「設定」ボタンが操作されたか否かを判断する（Ｓ２）。制御部１０は、設定ボタンが操作されたと判断した場合（Ｓ２：ＹＥＳ）、新たに追加する設定条件及び該設定条件の表記順序を受け付け（Ｓ３）、受け付けた表記順序が０であるか否かを判断する（Ｓ４）。なお、制御部１０は、設定ボタンが操作されていないと判断した場合（Ｓ２：ＮＯ）、例えばメニュー画像において「キャンセル」ボタンが操作された場合には処理を終了する。
【００５９】
制御部１０は、受け付けた表記順序が０でないと判断した場合（Ｓ４：ＮＯ）、追加を受け付けた設定条件が変更可能として第１調整テーブルに登録されているか否かを判断し（Ｓ５）、変更不可能として登録されていると判断した場合（Ｓ５：ＮＯ）、第１調整テーブルに登録してある設定条件を変更可能に設定し（Ｓ６）、変更可能として登録されていると判断した場合（Ｓ５：ＹＥＳ）、ステップＳ６の処理をスキップする。
【００６０】
次に制御部１０は、追加を受け付けた設定条件が第２調整テーブル、第３調整テーブル又は第４調整テーブルに既に登録されているか否かを判断し（Ｓ７）、登録されていないと判断した場合（Ｓ７：ＮＯ）、登録されていない調整テーブルに、追加を受け付けた設定条件を示す条件番号を第１調整テーブルから複写する（Ｓ８）。更に制御部１０は、追加を受け付けた設定条件を示す条件番号を、該設定条件に対応して受け付けた表記順序に対応付けてＯＳＤ情報テーブルに記憶させる（Ｓ９）。なお、制御部１０は、追加を受け付けた設定条件が各調整テーブルに既に登録されていると判断した場合（Ｓ７：ＹＥＳ）、ステップＳ８及びＳ９の処理をスキップする。
【００６１】
一方、制御部１０は、受け付けた表記順序が０であると判断した場合（Ｓ４：ＹＥＳ）、削除を受け付けた設定条件が変更可能として第１調整テーブルに登録されているか否かを判断し（Ｓ１０）、設定可能として登録されていると判断した場合（Ｓ１０：ＹＥＳ）、第１調整テーブルに登録してある設定条件を変更不可能に設定し（Ｓ１１）、変更不可能として登録されていると判断した場合（Ｓ１０：ＮＯ）、ステップＳ１１の処理をスキップする。
【００６２】
次に制御部１０は、削除を受け付けた設定条件が第２調整テーブル、第３調整テーブル又は第４調整テーブルに既に登録されているか否かを判断し（Ｓ１２）、登録されていると判断した場合（Ｓ１２：ＹＥＳ）、登録されている調整テーブルから、削除を受け付けた設定条件を示す条件番号を削除する（Ｓ１３）。更に制御部１０は、削除を受け付けた設定条件を示す条件番号を、ＯＳＤ情報テーブルから削除する（Ｓ１４）。なお、制御部１０は、削除した条件番号よりも表記順序が後の各条件番号について１つ前の表記順序に順次シフトさせておく。また、制御部１０は、削除を受け付けた設定条件が各調整テーブルに登録されていないと判断した場合（Ｓ１２：ＮＯ）、ステップＳ１３及びＳ１４の処理をスキップする。
【００６３】
上述したように、本実施形態１の映像処理装置１では、設定値の変更が可能な設定条件の追加又は削除を各表示モードに対して受け付けた場合に、全ての表示モードに対して一括に追加又は削除を行なうことができるので、各表示モードに対して設定条件の追加又は削除を行なう必要がなく、ユーザによる操作負担を軽減することができる。また、ユーザが所望する各設定条件に従った映像処理を行なうことができるので、より良好な映像を表示させることができる。
【００６４】
上述した実施形態１では、映像処理装置１が各表示モードに対して設定条件の追加及び削除を受け付けた場合に、全ての表示モードに対して一括に設定条件の追加及び削除を行なう構成について説明したが、設定条件の追加及び削除を各表示モード毎に受け付け、受け付けた表示モードに対してのみ設定条件の追加及び削除を行なうように構成してもよい。また、複数の表示モードを指定して設定条件の追加及び削除を受け付け、受け付けた表示モードに対してそれぞれ設定条件の追加及び削除を行なうように構成してもよい。
【００６５】
具体的には、映像処理装置１がスタンダードモードに対応する第１調整テーブルに対して設定条件の追加（削除）を受け付けた場合、制御部１０は、追加（削除）を受け付けた設定条件が変更不可能（変更可能）に設定されている場合に変更可能（変更不可能）に設定する。また、プレゼンテーションモード、シネマモード又はゲームモードに対応する第２調整テーブル、第３調整テーブル又は第４調整テーブルに対して設定条件の追加（削除）を受け付けた場合、制御部１０は、追加を受け付けた設定条件が、追加を受け付けた調整テーブルに登録されていない場合に第１調整テーブルから複写し、削除を受け付けた設定条件が、削除を受け付けた調整テーブルに登録されている場合に対応する調整テーブルから削除する。
【００６６】
（実施形態２）
図７は実施形態２に係る映像処理装置の構成例を示すブロック図である。図中の白抜き矢符は映像信号の流れを示す。本実施形態２の映像処理装置１は、上述した実施形態１の映像処理装置１と同様の構成であり、同一の構成については同一の符号を付して説明を省略する。本実施形態２の映像処理装置１は、例えばＬＡＮを介してＰＣ２と接続されて、本発明に係る映像処理システムを構成している。
【００６７】
ＰＣ２は、ＣＰＵ２０、ＲＯＭ２１、ＲＡＭ２２、ＨＤＤ２３、操作部２４、表示部２５、ＬＡＮとの接続を行なう通信インタフェース２６等を備えており、それぞれはバス２ａを介して相互に接続されている。ＣＰＵ２０は、ＰＣ２の制御中枢として動作し、バス２ａを介して接続される上述したようなハードウェア各部を制御すると共に、ＲＯＭ２１に予め格納されている制御プログラムに従って種々のソフトウェア的機能を実現する。
【００６８】
ＲＯＭ２１は、ＣＰＵ２０が実行すべき種々の制御プログラムを予め記憶している。ＲＡＭ２２は、ＳＲＡＭ又はフラッシュメモリ等で構成され、ＣＰＵ２０による制御プログラムの実行時に発生するデータを一時的に記憶する。ＨＤＤ２３は、大容量の記憶装置であり、本実施形態２に係るＰＣ２として動作するために必要な種々の制御プログラム、ＰＣ２が有する各種機能を選択するためのメニュー画像等を予め記憶している。
【００６９】
操作部２４は、キーボード及びマウス等を備える。表示部２５は、液晶ディスプレイ又はＣＲＴディスプレイ等の表示デバイスで構成されており、ＰＣ２の動作状態の表示、ユーザが操作部２４から入力した各種情報、ユーザに操作入力を促すための画面等の表示を行なう。
【００７０】
ここで、本実施形態２の映像処理装置１は、上述した実施形態１の映像処理装置１と同様に、各表示モードにおいてユーザによる設定値の変更が可能な設定条件の追加／削除が可能に構成されており、ＬＡＮを介して接続してあるＰＣ２から設定条件の追加／削除を行なうことができる。
【００７１】
具体的には、例えばユーザがリモコン装置を適切に操作することによって設定条件の追加／削除を行なう指示を行なった場合、映像処理装置１の制御部１０は、ＥＥＰＲＯＭ１７から所定のメニュー画像、条件番号対応テーブル、第１調整テーブル、第２調整テーブル、第３調整テーブル、第４調整テーブル及びＯＳＤ情報テーブルを読み出し、接続部１６からＰＣ２へ送信する。ＰＣ２のＣＰＵ２０は、映像処理装置１から受信した各情報をＲＡＭ２２に一旦記憶させる。
【００７２】
ＣＰＵ２０は、映像処理装置１から受信した各情報に基づいて、例えばスタンダードモードに対応する第１調整テーブルに登録してある変更可能な設定条件を、各設定条件に対応してＯＳＤ情報テーブルに登録してある表記順序で表記した編集用メニュー画像を作成し、図８に示すような編集用メニュー画像を表示部２５に表示させる。図８に示す編集用メニュー画像は、既に変更可能に設定してある設定条件（現在選択項目）を左側に並べて表示すると共に、この時点では変更不可能に設定してあり、変更可能な設定条件として追加可能な設定条件（選択可能項目）を右側に並べて表示する。
【００７３】
図８に示す編集用メニュー画像において、ユーザが、例えば操作部２４を適切に操作することによって、選択可能項目中の設定条件を選択した状態で「追加」ボタンを操作した場合、ＣＰＵ２０は、選択された設定条件を選択可能項目から削除すると共に現在選択項目の末尾に追加して表示させる。また、ユーザが現在選択項目中の設定条件を選択した状態で「削除」ボタンを操作した場合、ＣＰＵ２０は、選択された設定条件を現在選択項目から削除すると共に選択可能項目の末尾に追加して表示させる。更に、ユーザが現在選択項目中の設定条件を選択した状態で「上へ」ボタン（「下へ」ボタン）を操作した場合、ＣＰＵ２０は、選択された設定条件を、現在選択項目における表示位置を上に（下に）移動させて表示させる。
【００７４】
上述したように、図８に示す編集用メニュー画像において、ユーザが、所望する設定条件を現在選択項目に選択し、それぞれ選択した設定条件の表記順序を指定した状態で「設定」ボタンを操作した場合、ＣＰＵ２０は、設定条件の追加及び削除と、追加すべき設定条件の表記順序とを受け付け、受け付けた各情報を通信インタフェース２６から映像処理装置１へ送信する。
【００７５】
映像処理装置１の制御部１０は、ＰＣ２から設定条件の追加及び削除と、追加すべき設定条件の表記順序とを受信した場合、まず設定条件の追加を行なう。具体的には、制御部１０は、スタンダードモードに対応する第１調整テーブルに対しては、追加を受け付けた設定条件が変更不可能に設定されている場合には変更可能に設定し、プレゼンテーションモード、シネマモード又はゲームモードに対応する第２調整テーブル、第３調整テーブル又は第４調整テーブルに対しては、追加を受け付けた設定条件が登録されていない場合に、前記設定条件を示す条件番号を第１調整テーブルから各調整テーブルに複写する。
【００７６】
なお、第１調整テーブルから各調整テーブルに条件番号を複写する場合、制御部１０は、各調整テーブルの記憶領域において各条件番号に対応する箇所に複写すると共に、各設定条件の設定値も第１調整テーブルからそれぞれ複写する。また、制御部１０は、追加を受け付けた設定条件及び該設定条件に対応して受け付けた表記順序を対応付けてＥＥＰＲＯＭ１７のＯＳＤ情報テーブルに記憶させる。
【００７７】
次に制御部１０はＰＣ２から受信した各情報に従って設定条件の削除を行なう。具体的には、制御部１０は、スタンダードモードに対応する第１調整テーブルに対しては、削除を受け付けた設定条件が変更可能に設定されている場合には変更不可能に設定し、プレゼンテーションモード、シネマモード又はゲームモードに対応する第２調整テーブル、第３調整テーブル又は第４調整テーブルに対しては、削除を受け付けた設定条件が登録されている場合に、前記設定条件を示す条件番号及び対応する設定値を各調整テーブルから削除する。
【００７８】
また、制御部１０は、削除を受け付けた設定条件を示す条件番号をＥＥＰＲＯＭ１７のＯＳＤ情報テーブルから全て削除し、削除した条件番号よりも表記順序が後の各条件番号を１つ前の表記順序に順次シフトさせる。これにより、ＰＣ２の表示部２５に表示させた図８に示すメニュー画像に従ってＰＣ２を介して受け付けた設定条件の追加又は削除を、映像処理装置１によって全ての表示モードに対して一括に行なうことができる。
【００７９】
以下に、上述した構成の映像処理システムにおいて、映像処理装置１における各表示モードに対する設定条件の追加処理及び削除処理についてフローチャートを参照しながら説明する。図９及び図１０は実施形態２の映像処理装置１における設定条件の追加処理及び削除処理の手順を示すフローチャートである。なお、以下の処理は、制御部１０のＲＯＭに格納してある制御プログラムに従って、制御部１０のＣＰＵが実行する。
【００８０】
本実施形態２の映像処理装置１において、ユーザがリモコン装置を適切に操作することによって設定条件の追加／削除を行なう指示を行なった場合、制御部１０は、ＥＥＰＲＯＭ１７から所定のメニュー画像、条件番号対応テーブル、第１調整テーブル、第２調整テーブル、第３調整テーブル、第４調整テーブル、ＯＳＤ情報テーブル等の各種の情報を読み出し、接続部１６からＰＣ２へ送信する（Ｓ２１）。
【００８１】
ＰＣ２のＣＰＵ２０は、映像処理装置１から受信した各種の情報をＲＡＭ２２に一旦記憶させ、映像処理装置１から受信した各情報に基づいて、第１調整テーブルに登録してある変更可能な設定条件を、各設定条件に対応してＯＳＤ情報テーブルに登録してある表記順序で表記した編集用メニュー画像を作成し、図８に示すような編集用メニュー画像を表示部２５に表示させる（Ｓ２２）。
【００８２】
図８に示す編集用メニュー画像において、ユーザが操作部２４を適切に操作することによって所望する設定条件を現在選択項目に選択し、それぞれ選択した設定条件の表記順序を指定した場合、ＣＰＵ２０は、この編集用メニュー画像において「設定」ボタンが操作されたか否かを判断する（Ｓ２３）。ＣＰＵ２０は、設定ボタンが操作されたと判断した場合（Ｓ２３：ＹＥＳ）、設定条件の追加及び削除と、追加すべき設定条件の表記順序とを受け付け、受け付けた各情報を通信インタフェース２６から映像処理装置１へ送信する（Ｓ２４）。なお、ＣＰＵ２０は、設定ボタンが操作されていないと判断した場合（Ｓ２３：ＮＯ）、例えば編集用メニュー画像において「キャンセル」ボタンが操作された場合には処理を終了する。
【００８３】
映像処理装置１の制御部１０は、ＰＣ２から設定条件の追加及び削除と、追加すべき設定条件の表記順序とを受信した場合、追加すべき設定条件が変更可能として第１調整テーブルに登録されているか否かを判断し（Ｓ２５）、変更不可能として登録されていると判断した場合（Ｓ２５：ＮＯ）、第１調整テーブルに登録してある設定条件を変更可能に設定し（Ｓ２６）、変更可能として登録されていると判断した場合（Ｓ２５：ＹＥＳ）、ステップＳ２６の処理をスキップする。
【００８４】
次に制御部１０は、追加すべき設定条件が第２調整テーブル、第３調整テーブル又は第４調整テーブルに既に登録されているか否かを判断し（Ｓ２７）、登録されていないと判断した場合（Ｓ２７：ＮＯ）、登録されていない調整テーブルに、追加を受け付けた設定条件を示す条件番号を第１調整テーブルから複写する（Ｓ２８）。更に制御部１０は、追加を受け付けた設定条件を示す条件番号を、該設定条件に対応して受け付けた表記順序に対応付けてＯＳＤ情報テーブルに記憶させる（Ｓ２９）。なお、制御部１０は、追加を受け付けた設定条件が各調整テーブルに既に登録されていると判断した場合（Ｓ２７：ＹＥＳ）、ステップＳ２８及びＳ２９の処理をスキップする。
【００８５】
制御部１０は、削除すべき設定条件が変更可能として第１調整テーブルに登録されているか否かを判断し（Ｓ３０）、設定可能として登録されていると判断した場合（Ｓ３０：ＹＥＳ）、第１調整テーブルに登録してある設定条件を変更不可能に設定し（Ｓ３１）、変更不可能として登録されていると判断した場合（Ｓ３０：ＮＯ）、ステップＳ３１の処理をスキップする。
【００８６】
次に制御部１０は、削除すべき設定条件が第２調整テーブル、第３調整テーブル又は第４調整テーブルに既に登録されているか否かを判断し（Ｓ３２）、登録されていると判断した場合（Ｓ３２：ＹＥＳ）、登録されている調整テーブルから、削除を受け付けた設定条件を示す条件番号を削除する（Ｓ３３）。更に制御部１０は、削除を受け付けた設定条件を示す条件番号を、ＯＳＤ情報テーブルから削除する（Ｓ３４）。なお、制御部１０は、削除した条件番号よりも表記順序が後の各条件番号について１つ前の表記順序に順次シフトさせておく。また、制御部１０は、削除を受け付けた設定条件が各調整テーブルに登録されていないと判断した場合（Ｓ３２：ＮＯ）、ステップＳ３３及びＳ３４の処理をスキップする。
【００８７】
上述したように、本実施形態２の映像処理装置１では、各表示モードに対する設定値の変更が可能な設定条件の追加又は削除を外部のＰＣ２を介して受け付けることが可能であり、ＰＣ２を介して受け付けた設定条件の追加又は削除を全ての表示モードに対して一括に行なうことができる。従って、各表示モードに対して設定条件の追加又は削除を行なう必要がなく、ユーザによる操作負担を軽減することができる。また、ユーザが所望する各設定条件に従った映像処理を行なうことができるので、より良好な映像を表示させることができる。
【００８８】
上述した実施形態２の映像処理装置１は、ＥＥＰＲＯＭ１７に記憶してある第１調整テーブル、第２調整テーブル、第３調整テーブル、第４調整テーブル、ＯＳＤ情報テーブル等をＰＣ２へ送信するように構成してあるが、ＯＳＤ情報テーブルは必ずしもＰＣ２へ送信する必要はない。但しこの場合、ＰＣ２を介して設定条件の追加又は削除を受け付けることは可能であるが、追加を受け付けた設定条件の表記順序を受け付けることはできない。
【００８９】
また、上述した実施形態２における映像処理装置１においても、実施形態１で説明した変形例と同様の変形例の適用が可能である。具体的には、ＰＣ２を介して設定条件の追加及び削除を受け付けた場合に、映像処理装置１が全ての表示モードに対して一括に設定条件の追加及び削除を行なう必要はなく、ＰＣ２を介して各表示モード毎に設定条件の追加及び削除を受け付け、受け付けた表示モードに対してのみ設定条件の追加及び削除を行なうようにしてもよい。また、複数の表示モードを指定して設定条件の追加及び削除を受け付け、受け付けた表示モードに対してそれぞれ設定条件の追加及び削除を行なうようにしてもよい。
【００９０】
上述した各実施形態では、本発明の映像処理装置をプロジェクタに適用した例について説明したが、液晶テレビ及び液晶モニタ等のＦＰＤ（Flat Panel Display）、デジタルビデオカメラ、携帯電話機及びＰＤＡ（Personal Digital Assistance ）等の携帯通信装置等のような映像機器にも適用することができる。
【図面の簡単な説明】
【００９１】
【図１】実施形態１に係る映像処理装置の構成例を示すブロック図である。
【図２】各種テーブルの構成例を示す模式図である。
【図３】各種テーブルの構成例を示す模式図である。
【図４】映像処理装置が表示するメニュー画像の構成例を示す模式図である。
【図５】映像処理装置が表示するメニュー画像の構成例を示す模式図である。
【図６】実施形態１の映像処理装置における設定条件の追加処理及び削除処理の手順を示すフローチャートである。
【図７】実施形態２に係る映像処理装置の構成例を示すブロック図である。
【図８】ＰＣが表示する編集用メニュー画像の構成例を示す模式図である。
【図９】実施形態２の映像処理装置における設定条件の追加処理及び削除処理の手順を示すフローチャートである。
【図１０】実施形態２の映像処理装置における設定条件の追加処理及び削除処理の手順を示すフローチャートである。
【図１１】従来の映像処理装置が表示するメニュー画像例を示す模式図である。
【符号の説明】
【００９２】
１  映像処理装置
１０  制御部（受付手段、追加手段、削除手段）
１６  接続部
１７  ＥＥＰＲＯＭ
２  ＰＣ（情報処理装置）
２５  表示部
【図１】
2006330306.tif 000003
【図２】
2006330306.tif 000004
【図３】
2006330306.tif 000005
【図４】
2006330306.tif 000006
【図５】
2006330306.tif 000007
【図６】
2006330306.tif 000008
【図７】
2006330306.tif 000009
【図８】
2006330306.tif 000010
【図９】
2006330306.tif 000011
【図１０】
2006330306.tif 000012
【図１１】
2006330306.tif 000013